(57)【要約】【課題】改造がされたことを検知することができるようにする。【解決手段】電源が投入され、起動したとき、フェムトセル基地局１においては、マクロ基地局からの電波が受信され、その強度が検出される。フェムトセル基地局１には、周囲からの干渉を検知するために、周辺にある、同じ周波数を使って電波を出力しているマクロ基地局からの電波の強度を検出する機能が用意されているが、ここではその機能が利用される。検出された電波の強度は、前回の起動時に検出されて内部のメモリに記憶されていた電波の強度と比較され、強度に閾値以上の差が生じた電波がある場合、改造がされたものと判断される。改造には、電波の受信感度を良くしたり、受信範囲に指向性をもたせたりするなどのアンテナの改造が含まれる。本発明は、フェムトセルを構築する基地局などの小型携帯電話機基地局に適用することができる。【選択図】図１
2010068430.tif 000002
【特許請求の範囲】
【請求項１】
マクロ基地局からの電波の強度を検出する検出手段と、
前記検出手段により検出された電波の強度を、その電波を出力するマクロ基地局の識別情報と対応付けて記憶する記憶手段と、
前記検出手段により検出された電波の強度と、過去に検出され、前記記憶手段に記憶されている電波の強度を各マクロ基地局の電波毎に比較し、強度に閾値以上の差が生じている電波がある場合、改造が行われたものとして判定する判定手段と
を備える小型携帯電話機基地局。
【請求項２】
改造が行われたものとして前記判定手段により判定された場合、改造が行われたことを表す情報を、通信回線を介してサーバに送信する送信手段をさらに備える
請求項１に記載の小型携帯電話機基地局。
【請求項３】
改造が行われたものとして前記判定手段により判定された場合、動作を停止させる制御手段をさらに備える
請求項１に記載の小型携帯電話機基地局。
【請求項４】
マクロ基地局からの電波の強度を検出し、
検出した電波の強度を、その電波を出力するマクロ基地局の識別情報と対応付けて記憶手段に記憶し、
マクロ基地局からの電波の強度を検出し、
検出した電波の強度と、過去に検出し、前記記憶手段に記憶させている電波の強度を各マクロ基地局の電波毎に比較し、強度に閾値以上の差が生じている電波がある場合、改造が行われたものとして判定する
ステップを含む小型携帯電話機基地局の情報処理方法。
【発明の詳細な説明】
【技術分野】
【０００１】
本発明は、特に、改造がされたことを検知することができるようにした小型携帯電話機基地局、およびその情報処理方法に関する。
【背景技術】
【０００２】
携帯電話機の通話エリアを表す概念として「セル」と呼ばれるものがあり、近年、家庭内、オフィス内などの狭い範囲をカバーするためのものとして「フェムトセル」が注目されている。
【０００３】
「フェムトセル」は、そのような狭い範囲をカバーする程度のレベルの電波を出力する基地局であるフェムトセル基地局を、ADSL(Asymmetric Digital Subscriber Line)モデムなどのブロードバンド回線のモデムに接続することによって構築される。
【０００４】
【特許文献１】特開２００７−２６７４２４号公報
【発明の開示】
【発明が解決しようとする課題】
【０００５】
ところで、出力する電波のレベルは弱いものの、フェムトセル基地局も電波を扱う機器である以上、法律の面でも様々な規制を受ける。従って、電波の出力を上げたり、指向性を持たせたりするなどの、個人レベルでの改造がされないようにしておく必要がある。
【０００６】
実際のビジネスモデルを考えた場合、ADSLなどのブロードバンドサービスを既に受けているユーザに対してサービス事業者が無償で配布したり、低額で貸し出したりすることが想定されることから、フェムトセル基地局はプラスチックを筐体のカバーに使うなどして安価なものとして製造される。
【０００７】
この場合、開けにくいように工夫することはできるが、相応の器具を使えばユーザが自ら基地局の内部を開けることができ、上述したような改造がされるおそれがある。
【０００８】
本発明はこのような状況に鑑みてなされたものであり、改造がされたことを検知することができるようにするものである。
【課題を解決するための手段】
【０００９】
本発明の一側面の小型携帯電話機基地局は、マクロ基地局からの電波の強度を検出する検出手段と、前記検出手段により検出された電波の強度を、その電波を出力するマクロ基地局の識別情報と対応付けて記憶する記憶手段と、前記検出手段により検出された電波の強度と、過去に検出され、前記記憶手段に記憶されている電波の強度を各マクロ基地局の電波毎に比較し、強度に閾値以上の差が生じている電波がある場合、改造が行われたものとして判定する判定手段とを備える。
【００１０】
この小型携帯電話機基地局には、改造が行われたものとして前記判定手段により判定された場合、改造が行われたことを表す情報を、通信回線を介してサーバに送信する送信手段をさらに設けることができる。
【００１１】
改造が行われたものとして前記判定手段により判定された場合、動作を停止させる制御手段をさらに設けることができる。
【００１２】
本発明の一側面の情報処理方法は、マクロ基地局からの電波の強度を検出し、検出した電波の強度を、その電波を出力するマクロ基地局の識別情報と対応付けて記憶手段に記憶し、マクロ基地局からの電波の強度を検出し、検出した電波の強度と、過去に検出し、前記記憶手段に記憶させている電波の強度を各マクロ基地局の電波毎に比較し、強度に閾値以上の差が生じている電波がある場合、改造が行われたものとして判定するステップを含む。
【００１３】
本発明の一側面においては、マクロ基地局からの電波の強度が検出され、検出された電波の強度が、その電波を出力するマクロ基地局の識別情報と対応付けて記憶手段に記憶される。検出された電波の強度と、過去に検出され、前記記憶手段に記憶されている電波の強度が各マクロ基地局の電波毎に比較され、強度に閾値以上の差が生じている電波がある場合、改造が行われたものとして判定される。
【発明の効果】
【００１４】
本発明の一側面によれば、改造がされたことを検知することができる。
【発明を実施するための最良の形態】
【００１５】
図１は、本発明の一実施形態に係る通信システムの構成例を示す図である。
【００１６】
図１の通信システムは、フェムトセル基地局１が、LAN(Local Area Network)ケーブルなどを介してモデム２に接続され、モデム２が、ブロードバンド回線１１、インターネット１２を介してサーバ１３と接続されることによって構成される。フェムトセル基地局１、モデム２は家屋Ｈの中に設置されている。
【００１７】
フェムトセル基地局１には、適宜、図１に示すように携帯電話機３が接続され、音声データなどの送受信が行われる。インターネット１２には、サーバ１３の他に、他の建物内に設置されたモデムや、Webサーバなどの各種の機器が接続される。
【００１８】
フェムトセル基地局１は、図１の破線で示すような半径数十ｍのエリア（フェムトセル）をカバーエリアとする小型の基地局であり、電波の到達範囲であるフェムトセル内に存在する携帯電話機３に、ブロードバンド回線１１を介した音声通話機能を提供する。
【００１９】
例えば、携帯電話機３のユーザにより発呼操作が行われたとき、フェムトセル基地局１は、発呼の要求をモデム２に出力してブロードバンド回線１１、インターネット１２を介してサーバ１３に送信し、通信相手の携帯電話機との通信の確立を要求する。
【００２０】
この例においては、音声通話を行う携帯電話機間の接続がサーバ１３により管理されるものとされている。サーバ１３は、フェムトセルを使った音声通話サービスやブロードバンド回線１１を使った通信サービスを提供する事業者が管理するサーバである。サーバ１３に送信される要求には通信相手の携帯電話機を特定するための電話番号またはIMSI(International Mobile Subscriber Identity)などが含まれている。
【００２１】
通信が確立された後、フェムトセル基地局１は、携帯電話機３から送信されてきた音声データをモデム２に出力し、ブロードバンド回線１１、インターネット１２を介して通信相手の携帯電話機に送信させる。また、フェムトセル基地局１は、通信相手の携帯電話機から送信され、インターネット１２、ブロードバンド回線１１を介してモデム２において受信された音声データを携帯電話機３に送信する。
【００２２】
モデム２は、ADSL回線、光回線などのブロードバンド回線１１（通信回線）のモデムである。モデム２には、フェムトセル基地局１の他に、パーソナルコンピュータ、ネットワーク機能が搭載されたテレビジョン受像機などの各種の通信機器も接続される。
【００２３】
モデム２は、フェムトセル基地局１から送信されてきた音声データを通信相手の携帯電話機に送信し、通信相手の携帯電話機から送信されてきた音声データを受信してフェムトセル基地局１に送信する。
【００２４】
以上のようにしてモデム２と接続されるフェムトセル基地局１は、改造がされたことを検知する機能を有している。
【００２５】
例えば、フェムトセル基地局１は、電源が投入され、起動したとき、マクロ基地局からの電波を受信し、その強度を検出する。
【００２６】
一般的に、フェムトセル基地局には、周囲からの干渉を検知するために、周辺にある、同じ周波数を使って電波を出力しているマクロ基地局からの電波の強度を検出する機能が用意されているが、その機能が利用される。
【００２７】
ここで、マクロ基地局は、フェムトセル基地局１のように個人（家屋Ｈの住人）に対して音声通話サービスを提供するものではなく、不特定多数の公衆向けに音声サービスを提供するものである。マクロ基地局がカバーするマクロセルは半径数百メートルといったように広いセルであり、家屋Ｈがマクロセルの内側にある場合、マクロ基地局が出力する電波はフェムトセル基地局１においても受信される。
【００２８】
図１の例においては、マクロ基地局Ａが出力する電波、マクロ基地局Ｂが出力する電波、およびマクロ基地局Ｃが出力する電波の３つの基地局からの電波がフェムトセル基地局１により受信され、それぞれの電波の強度が検出される。
【００２９】
フェムトセル基地局１は、検出したそれぞれの電波の強度と、前回の起動時に検出して内部のメモリなどに記憶しておいたそれぞれの電波の強度を比較し、強度に閾値以上の差が生じた電波があるか否かを判定する。強度に閾値以上の差が生じた電波がある場合、フェムトセル基地局１は、改造がされたものと判断する。
【００３０】
すなわち、ここでいう改造には、電波の受信感度を良くしたり、受信範囲に指向性をもたせたりするなどのアンテナの改造や、受信電波の強度を強めるように増幅器を繋げるなどの改造が含まれる。
【００３１】
フェムトセル基地局１の設置位置が固定であるとした場合、内部のメモリには、今回の起動時に強度を検出した電波と同じ、マクロ基地局Ａ乃至Ｃからの電波の強度が記憶されているから、それぞれのマクロ基地局が出力する電波毎に強度を比較することにより、そのような改造がされたかどうかを判断することが可能になる。
【００３２】
例えば、受信感度を良くするようにアンテナが改造された場合、マクロ基地局Ａ乃至Ｃが出力する電波の強度は、それぞれ、メモリに記憶されている、前回の起動時に検出されたマクロ基地局Ａ乃至Ｃが出力する電波の強度より極端に大きいものとして検出される。
【００３３】
また、受信範囲に指向性を持たせるようにアンテナが改造された場合、マクロ基地局Ａ乃至Ｃが出力する電波の強度のうちの例えばマクロ基地局Ａが出力する電波の強度だけが、メモリに記憶されている、前回の起動時に検出されたマクロ基地局Ａが出力する電波の強度より極端に大きいものとして検出される。
【００３４】
改造がされたと判断された場合、そのことを表す情報がブロードバンド回線１１、インターネット１２を介してサーバ１３に送信されたり、フェムトセル基地局１の動作が停止されたりするようにしてもよい。
【００３５】
これにより、アンテナなどの、改造の対象になる部品がフェムトセル基地局１の筐体内部にある場合には筐体のカバーが容易に開けられないようにすることができ、フェムトセル基地局１の改造を実質的に防止することができる。
【００３６】
フェムトセル基地局１の筐体表面に液晶などよりなる表示部が設けられている場合、検出された電波の強度が表示されるようにしてもよい。これにより、改造防止のための電波強度の検知を行っていることを悪意のあるユーザに気づかせることができ、改造をすることに対する気をそぐことができる。
【００３７】
以上のような改造防止のためのフェムトセル基地局１の一連の処理についてはフローチャートを参照して後述する。
【００３８】
図２は、フェムトセル基地局１の構成例を示すブロック図である。
【００３９】
図２に示すように、フェムトセル基地局１は、ネットワーク通信部２１、制御部２２、記憶部２３、無線通信部２４、およびアンテナ２５から構成される。
【００４０】
ネットワーク通信部２１はネットワークのインタフェースであり、TCP/IP(Transmission Control Protocol/Internet Protocol)などの所定のプロトコルに従って、有線または無線を介してモデム２と通信を行う。
【００４１】
ネットワーク通信部２１は、モデム２により受信された通信相手の携帯電話機からの音声データを無線通信部２４に出力し、一方、無線通信部２４から供給された携帯電話機３からの音声データをモデム２に出力して通信相手の携帯電話機に送信させる。
【００４２】
制御部２２はCPU(Central Processing Unit)，ROM(Read Only Memory)，RAM(Random Access Memo)などよりなり、所定のプログラムを実行してフェムトセル基地局１の全体の動作を制御する。
【００４３】
例えば、制御部２２は、マクロ基地局が出力する電波の強度の情報が無線通信部２４から供給されたとき、記憶部２３に記憶されている電波強度の情報を読み出し、それぞれのマクロ基地局の電波毎に、その強度を比較する。閾値以上の差が生じている電波がある場合、制御部２２は改造がされたものとして判断する。
【００４４】
記憶部２３はフラッシュメモリなどよりなり、制御部２２から供給された電波強度の情報を記憶する。
【００４５】
無線通信部２４は、アンテナ２５から出力される電波の到達範囲内にある携帯電話機３と無線通信を行う。無線通信部２４は、ネットワーク通信部２１から供給された通信相手の携帯電話機からの音声データをアンテナ２５から携帯電話機３に送信し、アンテナ２５から供給された信号に基づいて受信した携帯電話機３からの音声データをネットワーク通信部２１に出力する。
【００４６】
また、無線通信部２４は、フェムトセル基地局１の起動時、マクロ基地局からの電波を受信し、その強度を検出する。無線通信部２４は、検出した強度を、電波を出力するマクロ基地局の識別情報とともに制御部２２に出力する。
【００４７】
次に、図３のフローチャートを参照して、以上のような構成を有するフェムトセル基地局１の改造検知処理について説明する。
【００４８】
この処理は、電源が投入され、起動したときに開始される。ステップＳ１において、制御部２２は、前回起動時に検出した電波強度の情報が記憶部２３に記憶されているか否かを判定する。
【００４９】
前回起動時に検出した電波強度の情報が記憶部２３に記憶されているとステップＳ１において判定した場合、制御部２２は、ステップＳ２において、その前回起動時に検出した電波強度の情報を記憶部２３から読み出す。
【００５０】
ステップＳ３において、無線通信部２４は、マクロ基地局からの電波を受信し、ステップＳ４において、それぞれの電波の強度を検出する。無線通信部２４により検出された電波強度の情報は、その電波を出力するマクロ基地局の識別情報とともに制御部２２に出力される。
【００５１】
ステップＳ５において、制御部２２は、マクロ基地局が出力する電波毎に、記憶部２３に記憶しておいた情報により表される強度と、ステップＳ４において検出された強度とを比較する。
【００５２】
ステップＳ６において、制御部２２は、閾値以上の差がある電波があるか否かを判定し、閾値以上の差がある電波があると判定した場合、ステップＳ７において、改造がされたものとして判断する。閾値以上の差がある電波がないと判定された場合、ステップＳ７の処理はスキップされる。
【００５３】
ステップＳ８において、制御部２２は、ステップＳ４において検出された電波強度の情報を、マクロ基地局の識別情報と対応付けて記憶部２３に記憶させ、処理を終了させる。
【００５４】
一方、今回の起動が最初の起動であることから、前回起動時に検出した電波強度の情報が記憶部２３に記憶されていないとステップＳ１において判定された場合、ステップＳ９において、無線通信部２４は、マクロ基地局からの電波を受信し、ステップＳ１０において、それぞれの電波の強度を検出する。無線通信部２４により検出された電波強度の情報は、その電波を出力するマクロ基地局の識別情報とともに制御部２２に出力される。
【００５５】
ステップＳ１１において、制御部２２は、無線通信部２４により検出された電波強度の合計値と、予め設定されているデフォルト値を比較し、ステップＳ６以降の処理を行う。
【００５６】
デフォルト値としては、例えば、改造のされていない標準のフェムトセル基地局（フェムトセル基地局１と同じ仕様のもの）を建物の中に設置した場合に受信される、平均的なマクロ基地局からの電波の合計値が制御部２２により管理されている。
【００５７】
無線通信部２４により検出された電波強度の合計値と、デフォルト値として与えられている電波強度の合計値の差が閾値以上あるとステップＳ６において判定された場合、ステップＳ７において改造がされたものとして判断される。ステップＳ８において電波強度の情報が記憶された後、処理は終了される。
【００５８】
以上の処理により、フェムトセル基地局１の改造を検知することが可能になる。
【００５９】
また、以上のようにしてマクロ基地局からの電波強度の合計値とデフォルト値を比較することにより、１回も起動させる前に行われた改造をも検知することが可能になる。
【００６０】
以上においては、フェムトセル基地局１が有するマクロ基地局の電波強度の検出機能が改造の検知のために用いられるものとしたが、マクロセルを使ったサービスの質をサービス事業者側が知るために用いられるようにしても良い。
【００６１】
この場合、フェムトセル基地局１により検出された電波強度の情報は、その電波を出力するマクロ基地局の識別情報とともに、ブロードバンド回線１１、インターネット１２を介してサーバ１３に送信される。
【００６２】
各地にある家屋に設置されたフェムトセル基地局から同様にして電波強度の情報が送信されてくることにより、サーバ１３においては、マクロセルによるサービスの質がどのようになっているのかをエリア毎に判断することが可能になる。フェムトセル基地局により受信されるマクロ基地局からの電波の強度、すなわち電波の受信状況はサービスの質を表すといえる。
【００６３】
例えば、あるエリア内の家屋に設置された全てのフェムトセル基地局から、弱い電波しか受信できていないことを表す情報が送信されてきた場合、サーバ１３を管理するサービス事業者は、そのエリア内にマクロ基地局を新たに設置するなどの対応をとることが可能になる。
【００６４】
このようにしてサーバ１３において集計されたエリア毎の受信状況に基づいて、上述したデフォルト値が決定され、サーバ１３からフェムトセル基地局１に対して送信されるようにしてもよい。
【００６５】
あるエリア内の家屋に設置されたフェムトセル基地局にはそのエリアにおいて受信されるマクロ基地局からの電波の強度の合計値がデフォルト値として設定され、他のエリア内の家屋に設置されたフェムトセル基地局にはそのエリアにおいて受信されるマクロ基地局からの電波の強度の合計値がデフォルト値として設定されるといったように、エリア毎に、異なる合計値がデフォルト値として設定されることになる。
【００６６】
各ユーザの住所をフェムトセルのサービスの申し込み時に確認できるから、サービス事業者は、各フェムトセル基地局が、どのような電波の受信状況のエリアに設置されるのかを把握することができ、どの程度の値をデフォルト値として設定すればよいのかを判断できる。
【００６７】
初回起動時、フェムトセル基地局１においては、デフォルト値がサーバ１３から送信されてきてから、上述したようにして検出した電波強度の合計値との比較が行われる。
【００６８】
このように、マクロ基地局から出力される電波の強度を表す情報がフェムトセル基地局１から送信されるようにすることにより、サーバ１３を管理するサービス事業者は、エリア毎に、マクロセルを使ったサービスの質を確認することができる。
【００６９】
また、フェムトセル基地局１が設置されるエリアの電波状況に応じた値をデフォルト値として設定することができる。
【００７０】
本発明の実施の形態は、上述した実施の形態に限定されるものではなく、本発明の要旨を逸脱しない範囲において種々の変更が可能である。
【図面の簡単な説明】
【００７１】
【図１】通信システムの構成例を示す図である。
【図２】フェムトセル基地局の構成例を示すブロック図である。
【図３】フェムトセル基地局の改造検知処理について説明するフローチャートである。
【符号の説明】
【００７２】
１  フェムトセル基地局，  ２  モデム，  ３  携帯電話機，  １１  ブロードバンド回線，  １２  インターネット，  １３  サーバ，  ２１  ネットワーク通信部，  ２２  制御部，  ２３  記憶部，  ２４  無線通信部，  ２５  アンテナ
【図１】
2010068430.tif 000003
【図２】
2010068430.tif 000004
【図３】
2010068430.tif 000005